(57)【要約】  【課題】上下に重ねられた２段のダイアルの各々が共に回転方向自在に全周回転可能であって、且つその構造の小型化および薄型化を実現したダイアルスイッチを提供する。  【解決手段】回転方向自在に全周回転可能な第１のダイアルと、第１のダイアルと同一の回転中心で、回転方向自在に全周回転可能な第２のダイアルと、第１のダイアルと第２のダイアルとの内の少なくとも一方のダイアルの回転位置と回転方向とを検出する非接触センサとを有する。【選択図】図４
2014053199.tif 000002
【特許請求の範囲】
【請求項１】
回転方向自在に全周回転可能な第１のダイアルと、
前記第１のダイアルと同一の回転中心で、前記回転方向自在に全周回転可能な第２のダイアルと、
前記第１のダイアルと前記第２のダイアルとの内の少なくとも一方の回転位置と前記回転方向とを検出する非接触センサと
を有する
ダイアルスイッチ。
【請求項２】
前記第１のダイアルの下側に前記第２のダイアルが位置し、前記非接触センサは、前記第２のダイアルの前記回転位置と前記回転方向とを検出する
請求項１記載のダイアルスイッチ。
【請求項３】
前記第１のダイアルの回転を伝達する第１のシャフトと、
前記第１のシャフトと接触する機械式センサと
を有し、
前記機械式センサは、前記第１のダイアルの前記回転位置と前記回転方向とを検出する
請求項１記載のダイアルスイッチ。
【請求項４】
ベースプレートと、
前記ベースプレートに固定される第２のシャフトと
を有し、
前記第２のダイアルは、前記第２のシャフトの周囲を回転し、
前記非接触センサは、前記第２のダイアルによって回転する部材の回転を検出する
請求項１記載のダイアルスイッチ。
【請求項５】
前記非接触センサは、前記ベースプレートに固定される
請求項４記載のダイアルスイッチ。
【請求項６】
前記第１のダイアルの回転を伝達する第１のシャフトと、
前記第１のシャフトと接触する機械式センサと
ベースプレートと、
前記ベースプレートに固定される第２のシャフトと
を有し、
前記第２のシャフトの中心を回動自在の前記第１のシャフトが貫通し、
前記機械式センサは、前記第１のダイアルの前記回転位置と前記回転方向とを検出し、
前記第２のダイアルは、前記第２のシャフトの周囲を回転し、
前記非接触センサは、前記第２のダイアルによって回転する部材の回転を検出する
請求項１記載のダイアルスイッチ。
【請求項７】
前記非接触センサは、光センサであり、
前記回転する部材は、反射板である
請求項４記載のダイアルスイッチ。
【請求項８】
前記第２のシャフトは、第１の弾性体と、第１の曲面と、第２の弾性体と、第２の曲面とを有し、
前記第１の弾性体は、回転面に対して垂直方向に前記第１の曲面を付勢し、
前記第２の弾性体は、前記回転面に対して水平方向に前記第２の曲面を付勢し、
前記第１の曲面は、前記第１のダイアルの回転によって操作感触を発生させ、
前記第２の曲面は、前記第２のダイアルの回転によって操作感触を発生させる
請求項４記載のダイアルスイッチ。
【請求項９】
前記第１のダイアルは、モード切り替えダイアルであり、
前記第２のダイアルは、パラメータ変更用ダイアルである
請求項１記載のダイアルスイッチ。
【発明の詳細な説明】
【技術分野】
【０００１】
本開示は、ダイアルスイッチに関する。詳しくは、電子機器の各種条件等の選択および設定に用いられるダイアルスイッチに関する。
【背景技術】
【０００２】
電子機器、例えば撮像装置には、撮影条件（撮影モード）の切り替え、およびパラメータの設定等を行うダイアルスイッチが設けられる。撮像装置は、高機能化が年々進む一方で、小型化、薄型化および省スペース化が望まれている。このため、ダイアルスイッチを上下２段に重ねて、各種条件の切り替え、およびパラメータの設定等の機能を集約することによって省スペース化を図ることが考えられる。
【０００３】
特許文献１（特許第４４７１８１７号公報）には、二種類の回転式電子部品と押圧式電子部品とを一体化してなり、小型化・薄型化が図れる多機能型電子部品が開示されている。特許文献１では、第一の回転型物と第二の回転型物との間の取り付け部材の軸支部が第二の回転型物を回動自在に軸支し、軸支部内側を押し釦つまみの押圧部が貫通する構造とし、押し釦つまみの電気的機能部を取り付け部材の下側に集約することによって、多機能型電子部品の薄型化が図れるとしている。
【０００４】
特許文献２（特開平０９−０４３７０５号公報）には、第１および第２のダイアル操作部材と、どちらか一方のダイアル操作部材の回転量を規制するための穴が開いている外観部材と、２つのダイアル操作部材を支持し、外観部材に固定させる複数の固定部を備えたフランジを持つ回転支持部材とを有するダイアルスイッチが開示されている。そして、特許文献２では、２段ダイアル各々の回転を支える箇所がスペースの関係上、肉厚を充分に取れず強度的に不足する回転支持部を、強度的に弱い材質からなる上蓋と別部材、且つ上蓋よりも静圧強度が高い別材質にしている。これによって、特許文献２では、上蓋の材質を変更せずにダイアル回転支持強度およびダイアル回転を禁止するためのロックの耐久強度がアップし、その結果、製品の信頼性および耐久性が向上するとしている。
【先行技術文献】
【特許文献】
【０００５】
【特許文献１】特許第４４７１８１７号公報
【特許文献２】特開平０９−０４３７０５号公報
【発明の概要】
【発明が解決しようとする課題】
【０００６】
ダイアルが、上下２段に重ねられた２段ダイアルスイッチが作製される場合にはダイアルの回転検出機構が複雑且つ大型化する。特に、下段のダイアルが全周回転する構造とされる場合には、２段ダイアルスイッチの構造が大型化することなく回転検出機能が２段ダイアルスイッチの内部に収められることは容易ではない。
【０００７】
特許文献１および特許文献２においてもダイアルスイッチの小型化が試みられているもののその構造は複雑であり、用いられる部品の数も多い。さらに、特許文献１および特許文献２では下段のダイアルが、全周回転する構造にはなっていない。
【０００８】
したがって、本開示の目的は、上下に重ねられた２段のダイアルの各々が共に回転方向自在に全周回転可能であって、且つその構造の小型化および薄型化を実現したダイアルスイッチを提供することにある。
【課題を解決するための手段】
【０００９】
上述の課題を解決するために、本開示は、回転方向自在に全周回転可能な第１のダイアルと、
第１のダイアルと同一の回転中心で、回転方向自在に全周回転可能な第２のダイアルと、
第１のダイアルと第２のダイアルとの内の少なくとも一方のダイアルの回転位置と回転方向とを検出する非接触センサと
を有する
ダイアルスイッチである。
【発明の効果】
【００１０】
本開示によれば、上下に重ねられた２段のダイアルの各々が共に全周回転可能であって、且つその構造の小型化および薄型化を実現したダイアルスイッチを提供することができる。
【図面の簡単な説明】
【００１１】
【図１】本開示の一実施の形態に係るダイアルスイッチが電子機器の装置本体に組み込まれた一例を示す斜視図である。
【図２】本開示の一実施の形態に係るダイアルスイッチの一構成例を示す斜視図である。
【図３】本開示の一実施の形態に係るダイアルスイッチの一構成例を示す分解斜視図である。
【図４】本開示の一実施の形態に係るダイアルスイッチの図２に示したＡ−Ａ線に沿った断面図である。
【発明を実施するための形態】
【００１２】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序にしたがってなされる。
＜１．本開示の一実施の形態＞
［ダイアルスイッチの概要］
［ダイアルスイッチの構成］
［ダイアルスイッチの構成部材］
［ダイアルスイッチの動作］
＜２．変形例＞
【００１３】
＜１．本開示の一実施の形態＞
［ダイアルスイッチの概要］
まず、本開示の一実施の形態に係るダイアルスイッチが適用可能な電子機器の説明を行う。図１に、本開示の一実施の形態に係るダイアルスイッチが電子機器の装置本体に組み込まれた一例を示す。本開示の一実施の形態に係るダイアルスイッチ１が適用可能な電子機器の一例として撮像装置１００がある。撮像装置１００は例えば、レンズが交換可能なデジタル一眼カメラとして構成される。
【００１４】
撮像装置１００は、カメラ本体部１０と、レンズユニット１１とを有している。レンズユニット１１は、カメラ本体部１０に対して着脱可能に構成されている。そして、ズームレンズや、単焦点レンズの望遠レンズやマクロレンズ等の中から選択されたレンズユニット１１が適宜カメラ本体部１０に取り付けられて用いられる。一方で、レンズユニット１１に隣接するレンズ交換ボタン１２が押されることによってカメラ本体部１０からレンズユニット１１が取り外される。
【００１５】
カメラ本体部１０には、ダイアルスイッチ１と、シャッターボタン１３と、ズームレバー１４とが設けられる。シャッターボタン１３の近傍には把持部１５が形成されていても良い。形成された把持部１５の内部は、撮像装置１００の電源としての電池、例えばリチウムイオン二次電池が収納される電池室と、撮像画像の画像データ等を記憶するための記憶媒体、例えばメモリカードが着脱可能に収納されるメモリカードスロットとのための空間として用いることができる。
【００１６】
カメラ本体部１０には内蔵フラッシュ１６が設けられても良い。内蔵フラッシュ１６の代わりに、外部フラッシュを取り付けるための接続端子等が設けられても良い。図１中には、ポップアップ式の内蔵フラッシュ１６が例示されている。カメラ本体部１０には設定表示部１７が設けられても良い。設定表示部１７には例えば、絞り（Ｆ値）等の情報が表示される。他の情報が、設定表示部１７に表示されても良い。
【００１７】
レンズユニット１１は、略円筒形の鏡筒１８の内部に、複数のレンズからなるレンズ群を有する。レンズ群は、被写体からの光（光像）をカメラ本体部１０の内部に配置される図示せぬ固体撮像素子（光電変換素子）の受光平面に結像させる光学系である。なお、固体撮像素子に結像された光はその後電気信号に光電変換され、カメラ本体部１０の内部の図示せぬ画像処理プロセッサで処理され、デジタル画像データとしてメモリカードに記録される。
【００１８】
レンズ群には例えば、焦点の調節を行うためのフォーカスレンズと、変倍を行うためのズームレンズとが含まれる。各レンズが、光軸方向に適宜移動することによって焦点の調節や変倍がなされる。レンズユニット１１の鏡筒１８にはフォーカス調整用のリングが設けられても良い。リングが回転することによってレンズが移動し、マニュアルフォーカスが行われることを可能にする。さらに、レンズユニット１１の鏡筒１８の周面には、マニュアル操作によるズーム倍率変更用に回転可能なリングが形成されても良い。上述したズームレバー１４が操作されることによってズームレンズが移動するようにされても良い。ズームレンズは、マニュアル操作またはオート操作によるリングの回転方向および回転量に応じて光軸方向に移動し、移動後の位置に応じたズーム倍率が設定される。
【００１９】
把持部１５の上面にはシャッターボタン１３が設けられている。シャッターボタン１３は例えば、シャッターボタン１３が完全には押し切られず、半分ほど押される「半押し」と、完全に押し切られた「全押し」との２段階の押下状態が可能なスイッチとして構成される。シャッターボタン１３が半押しされると、被写体を撮像するための準備動作が行われる。被写体を撮像するための準備動作としては、焦点を検出する検出動作や露出制御値の設定等が例示される。なお、半押しの状態から、シャッターボタン１３の押下が解除されると、準備動作が終了する。
【００２０】
シャッターボタン１３が、半押しの状態からさらに押しこまれて全押しの状態とされると、図示せぬ固体撮像素子への被写体像（被写体の光像）の露出、図示せぬ画像処理プロセッサによる信号処理および撮像データの記録媒体への記録等の撮像の処理が行われる。このように、撮像装置１００は、シャッターボタン１３が半押しされると撮像準備が指示され、シャッターボタン１３が全押しされると撮像が指示されたものとみなす。
【００２１】
カメラ本体部１０の天面（天面軍艦部とも称される）には撮影モード等を設定するためのダイアルスイッチ１が設けられている。ダイアルスイッチ１に限らず、カメラ本体部１０の天面には、種々の操作部材が配置される場合が多い。したがって、機能が集約し、小型化が実現される本開示の一実施の形態によるダイアルスイッチ１は天面の限られた空間を有効活用できる点において有利である。ダイアルスイッチ１の上下２段のダイアルの外周面は全周に亘って露出しており、特に下段の操作性が向上するだけでなく、デザイン性も優れている。さらに、本開示の一実施の形態によるダイアルスイッチ１は、全周方向から操作が可能という特徴も有している。
【００２２】
ダイアルスイッチ１は、カメラ本体部１０の天面と略平行な面において回転可能な略円盤状の形状をなし、ダイアルスイッチ１の天面には各モードに対応するマークが付されている。ユーザが所望するモードに対応するマークを所定位置に合わせるようにダイアルスイッチ１を回転させることによってモードの選択がなされる。
【００２３】
ダイアルスイッチ１によって設定可能なモードとしては、ＡＵＴＯモードや自動露出（ＡＥ(Auto Exposure)制御モード、自動焦点（ＡＦ(Auto Focus)制御モード、静止画を撮像するための静止画撮像モード、連続撮像を行う連続撮像モード、撮像済みの静止画像等を再生するための再生モード等が例示される。ダイアルスイッチ１の詳細については後述する。
【００２４】
なお、図１に示す撮像装置１００において、図示された構成以外の構成が付加されても良く、図示された構成の一部が取り除かれても良い。ダイアルスイッチ１およびシャッターボタン１３等の各構成が配設される箇所は適宜変更できる。例えば、ダイアルスイッチ１は、天面のいかなる場所に配置されても良く、さらに背面等に配置されても良い。
【００２５】
［ダイアルスイッチの構成］
次に、本開示の一実施の形態に係るダイアルスイッチの構成について説明する。図２に、本開示の一実施の形態に係るダイアルスイッチの一構成例を示す。なお、図２中に示したＡ−Ａ線に沿った断面については図４において後述する。以下の説明においては、請求の範囲に記載の第１のダイアルをダイアルＡと称し、ダイアルＡに関連する構成には「Ａ」を付記する。さらに、請求の範囲に記載の第２のダイアルをダイアルＢと称し、ダイアルＢに関連する構成には「Ｂ」を付記する。
【００２６】
ダイアルスイッチ１は、ベースプレート２に取り付けられたここでは図示せぬ非接触センサと、ダイアルＡ３と、ダイアルＢ４とを有している。ベースプレート２上にはダイアルＢ４が載せられ、ダイアルＢ４の上部にはダイアルＡ３が積み重ねられ、ダイアルスイッチ１は２段の構成として設けられる。
【００２７】
ダイアルＡ３は、回転方向自在に全周回転可能に構成されている。さらに、ダイアルＢ４は、ダイアルＡ３と同一の回転中心であり、回転方向自在に全周回転可能である。ダイアルＡ３と、ダイアルＢ４とは、それぞれが互いに独立して回転する。ここで、回転方向自在とは、ダイアルスイッチ１の天面からみて時計回りおよび反時計回りの何れの方向にも回転可能であることを意味する。さらに、全周回転可能とは、３６０度以上回転可能であることを意味する。図示せぬ非接触センサは、ダイアルＡ３およびダイアルＢ４の内の少なくとも一方について、その回転位置および回転方向を検出する。
【００２８】
１段目（上段）のダイアルＡ３は例えばモードダイアルとされ、全周回転するモード(段階)切り替えスイッチとして用いられる。一方で、２段目(下段)のダイアルＢ４は例えばアシストダイアルとされ、絞り、シャッタースピード、ＩＳＯ感度およびメニュー等の撮像装置１００（図１参照）でコントロールできる全ての内容を段階的に切り替えるスイッチとして用いられる。すなわち、ダイアルＢ４は、パラメータ変更用のダイアルである。なお、ダイアルＢ４は、その回転方向および回転角（回転位置）等を検出できるので、ダイアルＡ３と同様に、モード等の段階切り替えスイッチとしても用いることができる。
【００２９】
図２中のダイアルスイッチ１の天面には撮影モードに対応するマークが表示されている。一例として、撮影モードは、以下のように、Ｐ（プログラムオート）、Ａ（絞り優先）、Ｓ（シャッタースピード優先）、Ｍ（マニュアル露出）、スイングパノラマ、ＳＣＮ（シーンセレクション）、おまかせオートおよびプレミアムおまかせオートの項目を含む。Ｐ、Ａ、ＳおよびＭの撮影モードは露出モードとも称される。露出モードは、シャッタースピードと絞り（Ｆ値）とを選択的に調整することができる。一方で、ＳＣＮ、おまかせオートおよびプレミアムおまかせオートの撮影モードでは、カメラがシャッタースピードと絞りとを設定する。
【００３０】
Ｐ（プログラムオート）：露出（シャッタースピードと絞り）以外はお好みの設定ができるオート撮影。カメラは、適正露出となるシャッタースピードと絞りとを設定する。
Ａ（絞り優先）：ピントの合う範囲や、背景のぼかし具合を変えて撮影する。カメラは、調整された絞りに対して適正露出となるシャッタースピードを設定する。
Ｓ（シャッタースピード優先）：シャッタースピードを調整し、動くものの表現を変えて撮影する。カメラは、調整されたシャッタースピードに対して適正露出となる絞りを設定する。
Ｍ（マニュアル露出）：絞りとシャッタースピードとを調節する。カメラは、絞りとシャッタースピードとの設定を行わない。
【００３１】
スイングパノラマ：パノラマサイズで撮影する。
ＳＣＮ（シーンセレクション）：撮りたい被写体や環境に適したモードで撮影する。
おまかせオート：カメラが撮影状況（シーン）を自動判別して、オート撮影する。
プレミアムおまかせオート：認識シーンに応じて連写を行い、画像を合成処理する（重ね合わせ撮影）。これによってさらに高画質な画像を撮影する。
なお、上述した撮影モードは、一例であって、他の項目が追加されても良い。
【００３２】
［ダイアルスイッチの構成部材］
次に、本開示の一実施の形態に係るダイアルスイッチを構成する各部材の一例について説明する。図３に、本開示の一実施の形態に係るダイアルスイッチの一構成例について部材毎に分解して示す。図４に、本開示の一実施の形態に係るダイアルスイッチの断面図を示す。なお、図４に示された断面は、ダイアルスイッチ１を一直線に横切る断面ではなく図２に示したＡ−Ａ線に沿った断面である。これによって図４には、ダイアルＢ４の水平方向に延びるばねＢ６０と、ダイアルＡ３の垂直方向に延びるばねＡ６３とが両方表示されている。なお、図４中においては、シャフトＡ５およびシャフトＢ６以外の部材の断面を表すハッチングを便宜上省略した。
【００３３】
ダイアルスイッチ１は、ベースプレート２と、ダイアルＡ３と、ダイアルＢ４と、シャフトＡ５と、シャフトＢ６と、センサ部７とを有している。図３中においては、上から、ダイアルＡ３、シャフトＢ６、ダイアルＢ４、ベースプレート２、シャフトＡ５、センサ部７の順に各部材が示されている。本開示の一実施の形態では、センサ部７としては、機械式センサのセンサＡ８と非接触センサのセンサＢ９とが用いられている。なお、以降においては、ダイアルＡ３側を上側として、センサ部７側を下側として説明を行う。
【００３４】
ダイアルＢ４は、図３に示すように略環状である。ダイアルＢ４には例えば、アルミニウム等の金属板が用いられる。ダイアルＢ４の外周面４ａには、ローレット加工によって筋状の滑り止めが刻みつけられている。一方で、ダイアルＢ４の内周面には、上下方向に延在する案内溝４ｂが形成されている。
【００３５】
ダイアルＢ４の下側には、クリックプレートＢ４１が固着される。クリックプレートＢ４１の外周は略円形に、内周は、下側ほど径が小となる階段状に形成されている。クリックプレートＢ４１には例えば樹脂が用いられる。樹脂が用いられることで軽量化が図られる。クリックプレートＢ４１の外周面には上下方向に延在する突起部４１ａが案内溝４ｂの位置に対応して設けられる。ダイアルＢ４と、クリックプレートＢ４１とが固着される際には案内溝４ｂと、突起部４１ａとが嵌合することによって位置合わせが行われる。一方で、クリックプレートＢ４１の内周面には、上下方向に延在するクリック溝４１ｂが複数形成されている。
【００３６】
クリックプレートＢ４１の下側からは、略環状の接着紙４２を介して、反射板４３が接着される。反射板４３は略環状平板である。反射板４３には、光を反射する素材が用いられる。反射板４３には例えば、金属が用いられる。反射板４３にはステンレスが用いられることが好ましい。接着紙４２には両面テープが用いられても良い。
【００３７】
反射板４３の外周面には、外周方向にさらに放射状に突出する複数の反射面４３ａが設けられる。それぞれの反射面４３ａは略矩形の平板状である。図３中においては、反射面４３ａのそれぞれが等間隔で６か所に設けられている。一方で、隣接する反射面４３ａの間、すなわち、反射板４３の外周面から外周方向には突出していない部分は非反射領域４３ｂとなっている。なお、接着紙４２には、反射板４３の反射面４３ａおよび非反射領域４３ｂと対応して凸部４２ａおよび凹部４２ｂが設けられても良い。
【００３８】
一方で、反射板４３の内周面には、内周方向にさらに突出する複数の位置決め片４３ｃが設けられる。図３中においては、反射板４３の２か所に設けられている。クリックプレートＢ４１と、反射板４３とが接着される際には係合溝と、位置決め片４３ｃとが嵌合することによって特に周方向の位置合わせが行われる。
【００３９】
クリックプレートＢ４１と反射板４３とが接着されたダイアルＢ４は、ベースプレート２上に載せられる。
【００４０】
ベースプレート２は略円盤状である。ベースプレート２には例えば樹脂が用いられる。ベースプレート２には、上下方向に貫通するねじ孔２ａが形成されている。図３中においては、ベースプレート２の２か所にねじ孔２ａが形成されている。略円盤状のベースプレート２の中心には上下方向に貫通する挿入孔２ｂが形成されている。
【００４１】
さらに、ベースプレート２の外周付近には、上下方向に貫通する光通過窓２ｃが形成されている。光通過窓２ｃが形成される位置は、ベースプレート２上に載せられた反射板４３の反射面４３ａおよび非反射領域４３ｂの位置と対応する。図３中においては、ベースプレート２の２か所に光通過窓２ｃが形成されている。反射板４３の回転によって、２か所の光通過窓２ｃの上方において、（１）反射面４３ａ−反射面４３ａ、（２）反射面４３ａ−非反射領域４３ｂ、（３）非反射領域４３ｂ−非反射領域４３ｂ、（４）非反射領域４３ｂ−反射面４３ａの全ての状態で位置することが可能な間隔となるように２か所の光通過窓２ｃが形成される。
【００４２】
ベースプレート２の下側で光通過窓２ｃの近傍には、ベースプレート２から下側に突出する位置決め突起２ｄが設けられる。図３中においては、ベースプレート２の２か所に位置決め突起２ｄが設けられている。さらに、ベースプレート２が平面視された際には円形を示す外周においてその一部が欠けた形状となるような弦２ｅが形成されている。ダイアルスイッチ１が、撮像装置１００（図１参照）に取り付けられる際には、弦２ｅと、撮像装置１００の天面と背面との間の辺とが合うようにしても良い。このような位置関係とすることによって、撮像装置１００の背面よりもダイアルＢ４の外周面４ａが背面側に突出した構造となり、ダイアルＢ４を回転しやすくなる。
【００４３】
ダイアルＢ４の内周の領域、且つベースプレート２およびクリックプレートＢ４１の上にはシャフトＢ６が載せられる。シャフトＢ６は、外周面において、下側の径が小となる複数の階段状をした円柱形状である。シャフトＢ６の外周面の形状は、クリックプレートＢ４１の内周面の形状に対応して形成されている。シャフトＢ６には例えば樹脂が用いられる。
【００４４】
シャフトＢ６の下側で、ベースプレート２のねじ孔２ａと対応する位置には図示せぬねじ穴が設けられる。ねじ穴にはねじ切り加工がなされている。図示せぬねじ穴には、ねじ孔２ａを貫通したねじ２０が差し込まれる。ベースプレート２とシャフトＢ６とはねじ２０によって締結される。なお、ダイアルＢ４およびクリックプレートＢ４１は、ベースプレート２とシャフトＢ６との間に位置するものの、ベースプレート２の上面およびシャフトＢ６の外周面に沿って回転が可能に構成される。
【００４５】
ベースプレート２の挿入孔２ｂと対応してシャフトＢ６の中心には、上下方向に貫通する挿入孔６ａが形成されている。さらに、シャフトＢ６には、その上面と外周面との間の辺の一部からシャフトＢ６の中心の方向に溝状に掘られたばね収納凹部６ｂが形成されている。さらに、シャフトＢ６の上面には、下側の方向に円柱状に掘られたばね収納凹部６ｃが形成されている。図３中においては、シャフトＢ６の２か所にばね収納凹部６ｃが形成されている。２か所のばね収納凹部６ｃは、シャフトＢ６の中心を軸として同心円上に位置する。
【００４６】
シャフトＢ６のばね収納凹部６ｂには、弾性体の部材と、曲面を有する部材とが収納される。弾性体の一例としてのばねＢ６０と、曲面を有する部材の一例としてのボールＢ６１とが収納される。なお、ばねＢ６０と、ボールＢ６１とは、一端に曲面を有し、その曲面に対して付勢力を与えられる構造であれば、例えば一体として構成されていても構わない。
【００４７】
ばねＢ６０およびボールＢ６１には例えば金属が用いられる。ばねＢ６０は、ボールＢ６１よりもシャフトＢ６の内周側に位置し、ボールＢ６１をシャフトＢ６の外周側に、ダイアルＢ４の回転面と平行方向に付勢する。ボールＢ６１の曲面は、クリックプレートＢ４１の内周面のクリック溝４１ｂに嵌合する。ダイアルＢ４の回転の際に、ボールＢ６１は、隣接するクリック溝４１ｂに移動して再びその曲面が嵌合する。そこで、ダイアルＢ４の回転が止まるとともに、操作感触（クリック感）が得られる。
【００４８】
シャフトＢ６の上にはホルダー６２が載せられる。ホルダー６２は環状である。ホルダー６２には例えば樹脂が用いられる。ホルダー６２の下側には、シャフトＢ６のばね収納凹部６ｂの位置に対応してばね収納蓋６２ａが、ホルダー６２の下側の方向に突出して設けられる。さらに、ホルダー６２には、シャフトＢ６のばね収納凹部６ｃの位置に対応してホルダー６２を上下方向に貫通するばね挿入孔６２ｂが形成されている。
【００４９】
ばね収納凹部６ｂに、ばねＢ６０とボールＢ６１とが収納された状態で、ばね収納凹部６ｂの上にばね収納蓋６２ａが宛がわれるようにしてシャフトＢ６とホルダー６２とが嵌合される。さらに、ばね挿入孔６２ｂおよびばね収納凹部６ｃには弾性体の部材と、曲面を有する部材とが収納される。弾性体の一例としてのばねＡ６３と、曲面を有する部材の一例としてのボールＡ６４とが収納される。なお、ばねＡ６３と、ボールＡ６４とは、一端に曲面を有し、その曲面に対して付勢力を与えられる構造であれば、例えば一体として構成されていても構わない。
【００５０】
ばねＡ６３およびボールＡ６４には例えば金属が用いられる。ばねＡ６３は、ボールＡ６４よりもシャフトＢ６（下）側に位置し、ボールＡ６４をホルダー６２（上）側に、ダイアルＢ４の回転面と垂直方向に付勢する。ばねＡ６３は、ばねＢ６０よりも強い付勢力を有している。ばねＡ６３の付勢力の強さおよびばねＡ６３の本数を適宜選択することによってダイアルＡ３の回転時の固さを調整することができる。これは、ばねＢ６０についても同様である。
【００５１】
ダイアルＡ３は円盤状である。ダイアルＡ３の径は、ダイアルＢ４よりも小となるように形成される。これによって、ダイアルＡ３およびダイアルＢ４の何れも回転させやすい構造となる。ダイアルＡ３には例えば樹脂が用いられる。ダイアルＡ３の外周面３ａには例えば、四角錐状に突出した滑り止めが刻みつけられている。ダイアルＡ３の上側の面は、外周部を残して所定の深さに掘り下げられている。
【００５２】
ダイアルＡ３の下側の中心には、挿入孔２ｂおよび挿入孔６ａの位置に対応して図示せぬ挿入凹部が形成されている。一方で、ダイアルＡ３の上側の中心には、図示せぬ挿入凹部と同心に、上下方向に貫通する開口部３ｂが形成されている。図示せぬ挿入凹部よりも開口部３ｂの径は小である。なお、ダイアルＡ３の上面の開口部３ｂ周辺は座繰り加工がなされている。ダイアルＡ３の外周付近には、掘り下げられた上面から上側に突出する案内凸部３ｃが設けられる。
【００５３】
ダイアルＡ３の下側からは、環状平板に形成されたクリックプレートＡ３０が装着される。クリックプレートＡ３０には例えば、金属が用いられる。クリックプレートＡ３０にはステンレスが用いられることが好ましい。ステンレスが用いられることによって耐久性が向上する。
【００５４】
クリックプレートＡ３０の外周面には、内周方向に削られた切り欠き部３０ａが形成される。切り欠き部３０ａは例えば４か所に形成される。ダイアルＡ３の下側の面には、切り欠き部３０ａに対応して図示せぬ凸部が設けられる。クリックプレートＡ３０がダイアルＡ３に装着される際には、切り欠き部３０ａと図示せぬ凸部とが嵌合することによって特に周方向に位置合わせが行われる。
【００５５】
さらに、クリックプレートＡ３０には、上下方向に貫通する矩形状のクリック孔３０ｂが形成されている。クリック孔３０ｂは、ボールＡ６４の位置に対応して同心円上に形成される。本開示の一実施の形態では、クリックプレートＡ３０には、クリック孔３０ｂが等間隔に８か所形成されている。クリック孔３０ｂは、ボールＡ６４の曲面が嵌合する大きさを有している。なお、クリック孔３０ｂの数は、ダイアルＡ３での切り替えが行われるモードの数に対応して適宜増減しても良い。
【００５６】
ボールＡ６４の曲面は、クリックプレートＡ３０のクリック孔３０ｂに嵌合する。ダイアルＡ３の回転の際に、ボールＡ６４は、隣接するクリック孔３０ｂに移動して再びその曲面が嵌合する。そこで、ダイアルＡ３の回転が止まるとともに、操作感触（クリック感）が得られる。
【００５７】
クリックプレートＡ３０が装着されたダイアルＡ３は、ばねＡ６３およびボールＡ６４をホルダー６２との間で挟み込むようにしてホルダー６２（シャフトＢ６）の上部に積み重ねられる。ベースプレート２からダイアルＡ３までが積み重ねられた状態で、ベースプレート２の下方からシャフトＡ５が差し込まれる。
【００５８】
シャフトＡ５は略円柱状である。シャフトＡ５の外径は、挿入孔２ｂおよび挿入孔６ａに対応して形成されている。シャフトＡ５には例えば樹脂が用いられる。シャフトＡ５の上面には固着用穴５ａが形成されている。固着用穴５ａにはねじ切り加工がなされても良い。さらに、シャフトＡ５の下面には、外周方向に突出するつば部５ｂが設けられる。
【００５９】
シャフトＡ５は、挿入孔２ｂと、挿入孔６ａとを貫通してダイアルＡ３の図示せぬ挿入凹部に差し込まれる。その際に、つば部５ｂと、ベースプレート２の挿入孔２ｂの周辺部との間にはわずかに隙間ができる状態とされることが好ましい。このわずかな隙間によって、ダイアルＡ３（シャフトＡ５）の回転の際の抵抗が軽減される。
【００６０】
開口部３ｂには固定ねじ等の固定部材が入る。開口部３ｂから入った固定部材は固着用穴５ａで固着される。シャフトＡ５とダイアルＡ３とは固定部材によって固着される。ダイアルＡ３に固着されたシャフトＡ５によってダイアルＡ３の回転が機械式センサに伝達される。
【００６１】
このように、固定部材が、ダイアルスイッチ１の天面付近に配置されることによって下段のダイアルＢ４の空間を侵食しない。さらに、固定部材による固着部分をシャフト形状とすることによってダイアルスイッチ１の小型化が実現できる。シャフトＡ５およびダイアルＡ３は、挿入孔２ｂの周辺部と、挿入孔２ｂおよび挿入孔６ａによってそれぞれ形成されたベースプレート２およびシャフトＢ６の内周面と、シャフトＢ６の上面とに沿って回転が可能に構成される。
【００６２】
このように、シャフトＢ６には、ダイアルＡ３およびダイアルＢ４の各々のクリック機構（ばねＡ６３およびばねＢ６０の保持）、上段のダイアルＡ３の回転軸（シャフトＡ５）の位置決め、ダイアルＡ３の上下方向摺動受け、下段のダイアルＢ４の回転ガイド（軸受け）、上下ダイアル間の隙間目隠しといった複数機能が集約されている。これによって、本開示の一実施の形態によるダイアルスイッチ１の部品数が抑えられるとともにダイアルスイッチ１全体の小型化（薄型化）が実現される。
【００６３】
こうして、ベースプレート２からダイアルＡ３のまでの各部材が一体を形成しながらも、ダイアルＡ３と、ダイアルＢ４との各々が、同一の回転中心で、回転方向自在に全周回転可能に構成される。
【００６４】
ダイアルＡ３の上面には、かざりプレート３３が固着される。かざりプレート３３の下側の面には、外周部から内周に向かって切削された案内溝部３３ａが形成されている。案内溝部３３ａは、ダイアルＡ３の案内凸部３ｃに対応した位置に形成されている。ダイアルＡ３の上面にかざりプレート３３が固着される際には、案内凸部３ｃに、案内溝部３３ａを対応させることによって、特に周方向の位置合わせが行われる。
【００６５】
かざりプレート３３は円盤状である。かざりプレート３３の天面には、ダイアルスイッチ１の回転位置に対応して撮影モード等に対応するマークが付されている。本開示の一実施の形態では、上述したクリックプレートＡ３０のクリック孔３０ｂの数（または、切り替えるモードの数）に対応して８種類のマークが付されている。なお、クリック孔３０ｂの数と同様に、マークは、ダイアルＡ３での切り替えが行われるモードの数に対応して適宜増減しても良い。
【００６６】
上述したように、センサ部７としては、機械式センサのセンサＡ８と非接触センサのセンサＢ９とが用いられている。なお、センサＡ８を非接触センサとしても構わない。センサＡ８およびセンサＢ９の各々は図示せぬ配線によって、撮像装置１００の図示せぬ制御部と接続している。制御部は、ダイアルスイッチ１の変位を検出した信号を受け、撮像装置１００の制御を行う。なお、本開示の一実施の形態によるダイアルスイッチ１では、上段のダイアルＡ３の回転を機械式センサで検出し、下段のダイアルＢ４の回転を非接触センサで検出する。なお、簡単のため、図３中においては、機械式センサのセンサＡ８と非接触センサのセンサＢ９とを有するセンサ部７を箱状体で示している。
【００６７】
センサＡ８は、センサＡ８の本体から延びるシャフトが回転し、その位置を検出する回転位置センサである。センサＡ８のシャフトに対してシャフトＡ５が機械的接触される。シャフトは例えば、平面視でＤの形状である。シャフトＡ５の下側には、図示せぬ平面視でＤ形の接続凹部が形成されている。センサＡ８のシャフトの断面および接続凹部が例えばＤ形のような同一形状とされていることによってシャフトＡ５とセンサＡ８のシャフトとが接続される際に周方向に位置合わせをすることができる。
【００６８】
機械式センサでは、相対的な変位にとどまらずに絶対的な位置を検出することができる。しかしながら、本開示の一実施の形態では、８種類の撮影モードの切り替えを行うため、センサＡ８は、少なくとも８か所のシャフトＡ５（ダイアルＡ３）の回転位置を検出できれば良い。なお、最低限検出の必要となるシャフトＡ５（ダイアルＡ３）の回転位置の数は、切り替えられるモードの数に対応して増減する。
【００６９】
センサＢ９の近傍には図示せぬ位置決め孔が形成されている。図示せぬ位置決め孔は、ベースプレート２の位置決め突起２ｄに対応して２か所に形成されている。位置決め突起２ｄが図示せぬ位置決め孔に嵌合し、センサ部７は、ベースプレート２に取り付けられる。
【００７０】
センサＢ９には例えば、反射光を検出する光センサが用いられる。センサＢ９は、発光素子と受光素子とが組み合わされている。センサＢ９は、光通過窓２ｃに対応して２か所に取り付けられる。センサＢ９は、光通過窓２ｃ越しに反射板４３に光を照射し、その反射光を検知する。反射光の強度の観点からは、センサＢ９は、反射板４３に可及的に近接して設置するのが好ましい。
【００７１】
上述したように、反射板４３の回転によって、光通過窓２ｃの上方において、反射面４３ａまたは非反射領域４３ｂが位置する。ここで、光が照射され、反射面４３ａからの反射光が検知された場合の信号をＨｉｇｈとし、非反射領域４３ｂによって反射されず、反射光が検知されなかった場合の信号をＬｏｗとする。センサＢ９は２か所で別々に検知を行っているので、検知結果の組み合わせは以下の通りとなる。
（１）Ｈｉｇｈ−Ｈｉｇｈ、（２）Ｈｉｇｈ−Ｌｏｗ、（３）Ｌｏｗ−Ｌｏｗ、（４）Ｌｏｗ−Ｈｉｇｈ。
【００７２】
例えば、ダイアルＢ４の位置が時計回りに一つずつ変わる毎に上述した（１）、（２）、（３）、（４）の順で信号が検出されるようになされる。このように設定された条件において、信号が、（１）Ｈｉｇｈ−Ｈｉｇｈから（２）Ｈｉｇｈ−Ｌｏｗと変化した場合には、ダイアルＢ４が時計回りに一つ変位したことを検出できる。一方で、信号が、（４）Ｌｏｗ−Ｈｉｇｈから（３）Ｌｏｗ−Ｌｏｗと変化した場合には、ダイアルＢ４が反時計回りに一つ変位したことを検出できる。
【００７３】
こうして、センサＢ９は、ダイアルＢ４の回転の方向および回転位置を検出することができる。これは、ダイアルスイッチ１が、オンオフのみの設定だけではなく、例えばパラメータ値の増減の設定を行うことができることを意味する。なお、本開示の一実施の形態では、反射板４３が３６０度回転する間に上述の４通りの組み合わせが６回出現するように構成されている。なお、非接触による回転方向および回転位置の検出方法としては光には限らず、磁気等が用いられても良い。
【００７４】
次に、ダイアルスイッチ１の上下２段の各ダイアル（ダイアルＡ３およびダイアルＢ４）について、固定部、回転検出部およびクリック機構部に分けて、その構造について説明する。
【００７５】
「上段のダイアルＡ３」
（固定部）
上段のダイアルＡ３およびシャフトＡ５は、シャフトＢ６およびベースプレート２によって固定される。なお、ダイアルＡ３とシャフトＡ５とは固定部材によって固着されている。
【００７６】
（回転検出部）
上段のダイアルＡ３の回転検出は、ダイアルＡ３と締結するシャフトＡ５の先端が、機械式検出スイッチ（センサＡ８）のシャフトに接続されており、センサＡ８のシャフトを通じて、センサＡ８のスイッチが回転することで行われる。
【００７７】
（クリック機構部）
上段のダイアルＡ３のクリック機構部は、ダイアルＡ３と、クリックプレートＡ３０と、ボールＡ６４と、ばねＡ６３と、シャフトＡ５と、シャフトＢ６とによって構成される。シャフトＢ６に挿入されているばねＡ６３がボールＡ６４を垂直（上）方向にクリックプレートＡ３０に押し付けることによって操作感触（クリック感）を発生させる。
【００７８】
「下段のダイアルＢ４」
（固定部）
下段のダイアルＢ４およびクリックプレートＢ４１は、シャフトＢ６およびベースプレート２によって固定される。
【００７９】
（回転検出部）
下段のダイアルＢ４の回転検出は、２つの反射式光学センサ（センサＢ９）と反射板４３とによってなされる。なお、ベースプレート２は、センサＢ９の位置決めの機能を兼ねており、反射板４３に対してより精度高くセンサＢ９を固定することができる。
【００８０】
（クリック機構部）
下段のダイアルＢ４のクリック機構部は、ダイアルＢ４と、クリックプレートＢ４１と、ボールＢ６１と、ばねＢ６０と、シャフトＢ６とによって構成される。シャフトＢ６に挿入されているばねＢ６０がボールＢ６１をクリックプレートＢ４１に水平方向に押し付ける事によって操作感触（クリック感）を発生させる。なお、シャフトＢ６の上からホルダー６２が載せられることによってばねＢ６０とボールＢ６１とがシャフトＢ６に収まっている。
【００８１】
このように、本開示の一実施の形態では、各クリックばねを垂直方向と水平方向とで別々に配置してシャフトＢ６を共通してクリック機構に使用し、且つ各ダイアルの固定にも使用することによってダイアルスイッチ１の構造を小さくすることを可能としている。なお、周内のクリック数は、各クリックプレートを適宜変更することによって自由に選択可能である。
【００８２】
［ダイアルスイッチの動作］
上述した本開示の一実施の形態によるダイアルスイッチの構成によれば、上段のダイアルＡ３と下段のダイアルＢ４とのそれぞれは以下のように動作する。
【００８３】
（ダイアルＡ３）
ユーザによる操作によってダイアルＡ３が回転する。ダイアルＡ３は、シャフトＢ６の上を摺動する。ダイアルＡ３の回転中心の部分で固定部材によって固着されているシャフトＡ５が回転する。シャフトＡ５は、ベースプレート２とシャフトＢ６とを貫通するとともに、ベースプレート２とシャフトＢ６とによって回動自在にガイドされている。シャフトＡ５は、機械式センサのセンサＡ８の本体から延びるシャフトと接触している。シャフトＡ５の回転はセンサＡ８によって検出され、ダイアルＡ３の回転位置と回転方向とが検出される。
【００８４】
ダイアルＡ３は、クリックプレートＡ３０を有している。一方で、シャフトＢ６は、ダイアルＡ３の回転面とは垂直方向に延びるばねＡ６３およびボールＡ６４を有している。クリックプレートＡ３０のクリック孔３０ｂとボールＡ６４の曲面とが対向している。ダイアルＡ３の回転によって、クリック孔３０ｂにボールＡ６４の曲面が嵌合し、操作感触（クリック感）が発生する。
【００８５】
（ダイアルＢ４）
ユーザによる操作によってダイアルＢ４が回転する。ダイアルＢ４の内周には、クリックプレートＢ４１が取り付けられており、ダイアルＢ４とクリックプレートＢ４１とは一体で回転する。ダイアルＢ４とクリックプレートＢ４１とは、ベースプレート２の上およびシャフトＢ６の外周を摺動する。すなわち、ダイアルＢ４とクリックプレートＢ４１とは、ベースプレート２とシャフトＢ６とによって回動自在にガイドされている。クリックプレートＢ４１には反射板４３が取り付けられている。一方で、ベースプレート２には、反射板４３に対向して非接触センサのセンサＢ９が取り付けられている。反射板４３（クリックプレートＢ４１）の回転はセンサＢ９によって検出され、ダイアルＢ４の回転位置と回転方向とが検出される。
【００８６】
ダイアルＢ４（クリックプレートＢ４１）は、その内周部にクリック溝４１ｂを有している。一方で、シャフトＢ６は、ダイアルＢ４の回転面と平行方向に延びるばねＢ６０およびボールＢ６１を有している。クリックプレートＢ４１のクリック溝４１ｂとボールＢ６１の曲面とが対向している。ダイアルＢ４の回転によって、クリック溝４１ｂにボールＢ６１の曲面が嵌合し、操作感触（クリック感）が発生する。
【００８７】
このように、本開示の一実施の形態によるダイアルスイッチは、上段のダイアルＡ３と下段のダイアルＢ４とが何れも全周回転し、各ダイアルの回転位置と回転方向とが検出可能であり、各ダイアルの回転時に操作感触（クリック感）が得られるように構成されている。
【００８８】
＜２．変形例＞
本開示の一実施の形態によるダイアルスイッチの変形例について説明する。上でも述べたように、上段のダイアルＡ３と下段のダイアルＢ４との両方の回転の検出に非接触センサ、例えば光センサを用いても良い。上段のダイアルＡ３と下段のダイアルＢ４とを軸方向（上下）に可動な構成とし、可動時には別の機能として作用する構成としても良い。上段のダイアルＡ３と下段のダイアルＢ４とが軸に垂直方向に可動（ダイアルＡ３およびダイアルＢ４をジョイスティックの用に倒す）な構成とし、十字キーや、クリック（決定）等として機能する構成としても良い。上段のダイアルＡ３中央にボタンをさらに設け、そのボタンがレリーズ等の別の機能として作用する構成としても良い。
【００８９】
「一実施の形態の効果」
以上に、本開示の一実施の形態に係るダイアルスイッチを説明した。本開示の一実施の形態に係るダイアルスイッチは、内部軸（シャフトＢ６）に、２種のクリック機構部を集約し、少なくとも一方のダイアルの回転検知部に光学的な検出機構を用いることによって２段のダイアルが両方ともに全周回転することを可能としている。さらに、本開示の一実施の形態に係るダイアルスイッチは、光学的な検出機構が用いられることによって、ダイアルの全周回転に必要不可欠であった機構の部分を削減することができ、ダイアルスイッチ全体の構造を小さくすることを可能としている。
【００９０】
本開示の一実施の形態に係るダイアルスイッチによれば、その構造が単純、且つ小型（薄型）でありながら、２段のダイアルが両方とも全周回転する構造が実現される。さらに、本開示の一実施の形態に係るダイアルスイッチによれば、クリック機構をダイアルスイッチの外部に別に設けるか、下段のダイアルの回転を全周としないかといった選択に迫られることがなく、クリック機構を内部に有しながら下段のダイアルが全周回転可能な構造が実現される。
【００９１】
さらに、本開示の一実施の形態に係るダイアルスイッチによれば、上段のダイアルの回転検出部が下段のダイアルの領域を侵食することがなく、上段の検出センサの内部での配線を不要とし、下段のダイアルを貫通する上段の軸が単純且つ小型であり、小さく単純なダイアルスイッチの構造が実現される。さらに、本開示の一実施の形態に係るダイアルスイッチによれば、ダイアルの設置構造においても、下段のダイアルが全周回転する構成でありながら、下段のダイアルの回転検出機構および配線と固定用部材とが干渉せず、構造が大きくなることが防止される。
【００９２】
本開示の一実施の形態に係るダイアルスイッチでは、２段のダイアルが両方ともに全周回転可能という今までにない機能によって、より発展的なカメラ機能とすることを可能とする効果を有する。さらに、本開示の一実施の形態に係るダイアルスイッチによって、機構が大きく、且つ複雑という理由で搭載することが困難であった背面ダイアルを小型カメラに搭載することを可能とする効果を有する。さらに、本開示の一実施の形態に係るダイアルスイッチでは、小型化するカメラの天面軍艦部内に、モードダイアルおよびコントロールダイアルの２つのダイアルを機能および空間を集約した形態で搭載することを可能とする効果を有する。
【００９３】
本開示の一実施の形態に係るダイアルスイッチは、カメラやビデオカメラ等の撮像装置をはじめとした種々の電子機器に適用可能である。そして、カメラの種類としても、デジタルに限らずフィルム式にも、さらに、高級一眼カメラからコンパクトカメラまで多様に適用可能である。
【００９４】
なお、本開示は、以下の構成も取ることができる。
（１）
回転方向自在に全周回転可能な第１のダイアルと、
前記第１のダイアルと同一の回転中心で、前記回転方向自在に全周回転可能な第２のダイアルと、
前記第１のダイアルと前記第２のダイアルとの内の少なくとも一方の回転位置と前記回転方向とを検出する非接触センサと
を有する
ダイアルスイッチ。
（２）
前記第１のダイアルの下側に前記第２のダイアルが位置し、前記非接触センサは、前記第２のダイアルの回転位置と前記回転方向とを検出する
（１）に記載のダイアルスイッチ。
（３）
前記第１のダイアルの回転を伝達する第１のシャフトと、
前記第１のシャフトと接触する機械式センサと
を有し、
前記機械式センサは、前記第１のダイアルの回転位置と前記回転方向とを検出する
（１）乃至（２）の何れかに記載のダイアルスイッチ。
（４）
ベースプレートと、
前記ベースプレートに固定される第２のシャフトと
を有し、
前記第２のダイアルは、前記第２のシャフトの周囲を回転し、
前記非接触センサは、前記第２のダイアルによって回転する部材の回転を検出する
（１）乃至（３）の何れかに記載のダイアルスイッチ。
（５）
前記非接触センサは、前記ベースプレートに固定される
（４）に記載のダイアルスイッチ。
（６）
前記第１のダイアルの回転を伝達する第１のシャフトと、
前記第１のシャフトと接触する機械式センサと
ベースプレートと、
前記ベースプレートに固定される第２のシャフトと
を有し、
前記第２のシャフトの中心を回動自在の前記第１のシャフトが貫通し、
前記機械式センサは、前記第１のダイアルの前記回転位置と前記回転方向とを検出し、
前記第２のダイアルは、前記第２のシャフトの周囲を回転し、
前記非接触センサは、前記第２のダイアルによって回転する部材の回転を検出する
（１）乃至（２）の何れかに記載のダイアルスイッチ。
（７）
前記非接触センサは、光センサであり、
前記回転する部材は、反射板である
（４）に記載のダイアルスイッチ。
（８）
前記第２のシャフトは、第１の弾性体と、第１の曲面と、第２の弾性体と、第２の曲面とを有し、
前記第１の弾性体は、回転面に対して垂直方向に前記第１の曲面を付勢し、
前記第２の弾性体は、前記回転面に対して水平方向に前記第２の曲面を付勢し、
前記第１の曲面は、前記第１のダイアルの回転によって操作感触を発生させ、
前記第２の曲面は、前記第２のダイアルの回転によって操作感触を発生させる
（４）に記載のダイアルスイッチ。
（９）
前記第１のダイアルは、モード切り替えダイアルであり、
前記第２のダイアルは、パラメータ変更用ダイアルである
（１）乃至（８）の何れかに記載のダイアルスイッチ。
【００９５】
以上、本開示の実施の形態について具体的に説明したが、本開示は、上述の実施の形態に限定されるものではなく、本開示の技術的思想に基づく各種の変形が可能である。例えば、上述の実施の形態において挙げた構成、方法、工程、形状、材料および数値等はあくまでも例に過ぎず、必要に応じてこれと異なる構成、方法、工程、形状、材料および数値等を用いても良い。
【００９６】
また、上述の実施の形態の構成、方法、工程、形状、材料および数値等は、本開示の主旨を逸脱しない限り、互いに組み合わせることが可能である。
【符号の説明】
【００９７】
１  ・・・ダイアルスイッチ
２  ・・・ベースプレート
３  ・・・ダイアルＡ
４  ・・・ダイアルＢ
５  ・・・シャフトＡ
６  ・・・シャフトＢ
７  ・・・センサ部
８  ・・・センサＡ
９  ・・・センサＢ
３０・・・クリックプレートＡ
４１・・・クリックプレートＢ
４３・・・反射板
４３ａ・・・反射面
４３ｂ・・・非反射領域
６０・・・ばねＢ
６１・・・ボールＢ
６２・・・ホルダー
６３・・・ばねＡ
６４・・・ボールＡ
１００・・・撮像装置
【図１】
2014053199.tif 000003
【図２】
2014053199.tif 000004
【図３】
2014053199.tif 000005
【図４】
2014053199.tif 000006